(57)【要約】【課題】カードの厚さ寸法が近似した複数種類のカードを装着でき、装着時に不使用の接点端子の損傷を防止すること。【解決手段】互いに形状が異なる被係合部を有する第１のカードと第２のカードとを選択的に装着可能なカード用コネクタ１であって、第１のカードの接触パッドとの電気的接続用の第１の接点端子２０４と、第２のカードの接触パッドとの電気的接続用の第２の接点端子２０６と、挿入されたカードの被係合部と係合して当該被係合部の形状に応じて移動するレバー部材８と、レバー部材８が所定量移動した場合に特定の接点端子をカードから離れる方向に押圧する押圧部材１０とを具備することを特徴とする。【選択図】図３
2010232097.tif 000002
【特許請求の範囲】
【請求項１】
互いに形状が異なる被係合部を有する第１のカードと第２のカードとを選択的に装着可能なカード用コネクタであって、第１のカードの接触パッドとの電気的接続用の第１の接点端子と、第２のカードの接触パッドとの電気的接続用の第２の接点端子と、挿入されたカードの被係合部と係合して当該被係合部の形状に応じて移動するレバー部材と、前記レバー部材が所定量移動した場合に特定の接点端子をカードから離れる方向に押圧する押圧部材とを具備することを特徴とするカード用コネクタ。
【請求項２】
互いに形状が異なる被係合部を挿入方向のカードの隅部に設け、前記レバー部材を当該カードの隅部に対応させて配置したことを特徴とする請求項１記載のカード用コネクタ。
【請求項３】
前記特定の接点端子及び押圧部材を前記レバー部材におけるカードの挿入方向の前方側に配置したことを特徴とする請求項２記載のカード用コネクタ。
【請求項４】
挿入されたカードの側方を案内するガイド部材を具備し、前記レバー部材を前記ガイド部材に回動可能に連結したことを特徴とする請求項１から請求項３のいずれかに記載のカード用コネクタ。
【請求項５】
前記レバー部材の回動に応じてカードの挿入方向と直交する方向にスライド移動する係合部材を具備し、前記押圧部材に前記係合部材のスライド移動量に応じて当該係合部材に当接する当接部を設け、前記押圧部材の当接部に対する前記係合部材の当接の有無により前記特定の接点端子を押し下げ可能としたことを特徴とする請求項４記載のカード用コネクタ。
【請求項６】
前記レバー部材の回動に応じてカードの挿入方向と直交する方向に前記押圧部材をスライド移動させ、前記押圧部材の下面に形成した段差部により前記特定の端子を押し下げ可能としたことを特徴とする請求項４記載のカード用コネクタ。
【請求項７】
前記第１の接点端子及び第２の接点端子を、カードの挿入方向の後方側及び前方側の位置に配置すると共に前記第２の接点端子を前記特定端子とし、前記レバー部材は、前記第１のカードが挿入されると所定量移動することを特徴とする請求項１から請求項６のいずれかに記載のカード用コネクタ。
【請求項８】
前記第１の接点端子の接点部と前記第２の接点端子の接点部と対向配置させると共に、前記第１の接点端子の半田付け部と前記第２の接点端子の半田付け部とを相反する方向に延伸させたことを特徴とする請求項７記載のカード用コネクタ。
【発明の詳細な説明】
【技術分野】
【０００１】
本発明は、カード用コネクタに関し、特に、携帯電話機等の電子機器においてチップカードやＩＣメモリカード等のカードを基板に電気的に接続するためのカード用コネクタに関する。
【背景技術】
【０００２】
従来、複数種類のカードの装着に対応し、一方のカードの装着時に不使用の他方のカード用の接点端子の損傷を防止するカード用コネクタが提案されている（例えば、特許文献１参照）。このカード用コネクタにおいては、第１カードと第２カードの厚さ寸法の差を利用して、カード用コネクタの奥側の装着位置に対応する厚い第１カードの装着時には当該第１カードの底面でカム板を押し下げ、手前側に配置された薄い第２カード用の接点端子を押し下げてカードから退避させることで、不使用の第２カード用の接点端子の損傷を防止するものとなっている。
【先行技術文献】
【特許文献】
【０００３】
【特許文献１】特開２００３−２８８９６２号公報
【発明の概要】
【発明が解決しようとする課題】
【０００４】
しかしながら、上述したカード用コネクタにおいては、カードの厚さ寸法の差を利用してカム板を押し下げて不使用の接点端子をカードから退避させることから、カードの厚さ寸法が同一でパッドが異なるカードや、カードの厚さ寸法の差が小さいカードでは、不使用の接点端子をカードから退避させることができず、当該接点端子を損傷してしまう恐れがあるという問題がある。
【０００５】
本発明は、このような問題点に鑑みてなされたものであり、カードの厚さ寸法が近似した複数種類のカードを装着でき、装着時に不使用の接点端子の損傷を防止することができるカード用コネクタを提供することを目的とする。
【課題を解決するための手段】
【０００６】
本発明のカード用コネクタは、互いに形状が異なる被係合部を有する第１のカードと第２のカードとを選択的に装着可能なカード用コネクタであって、第１のカードの接触パッドとの電気的接続用の第１の接点端子と、第２のカードの接触パッドとの電気的接続用の第２の接点端子と、挿入されたカードの被係合部と係合して当該被係合部の形状に応じて移動するレバー部材と、前記レバー部材が所定量移動した場合に特定の接点端子をカードから離れる方向に押圧する押圧部材とを具備することを特徴とする。
【０００７】
上記カード用コネクタによれば、挿入されたカードの被係合部の形状に応じてレバー部材を移動させ、このレバー部材が所定量移動した場合に特定の接点端子をカードから離れる方向に押圧するようにしたことから、カードの被係合部の形状の違いを利用して特定の接点端子をカードから退避させることができるので、カードの厚さ寸法が近似した複数種類のカードを装着でき、装着時に不使用の接点端子の損傷を防止することが可能となる。
【０００８】
特に、上記カード用コネクタにおいては、互いに形状が異なる被係合部を挿入方向のカードの隅部に設け、前記レバー部材を当該カードの隅部に対応させて配置することが好ましい。この場合には、互いに形状が異なる被係合部が挿入方向のカードの隅部に設けられる一方、これに対応する位置にレバー部材が配置されることから、カードの被係合部とレバー部材とをカードの挿入方向と直交する幅方向にオーバーラップして配置することができるので、カード用コネクタの幅方向の寸法を小型化することが可能となる。
【０００９】
また、上記カード用コネクタにおいては、前記特定の接点端子及び押圧部材を前記レバー部材におけるカードの挿入方向の前方側に配置することが好ましい。この場合には、特定の接点端子及び押圧部材がレバー部材におけるカードの挿入方向の前方側に配置されることから、一般的にデッドスペースになり得るカード用コネクタの前端部近傍を有効に利用することができるので、カード用コネクタのカードの挿入方向の寸法を小型化することが可能となる。
【００１０】
さらに、上記カード用コネクタにおいては、挿入されたカードの側方を案内するガイド部材を具備し、前記レバー部材を前記ガイド部材に回動可能に連結することが好ましい。この場合には、ガイド部材の幅及び厚さを利用してレバー部材を回動可能に連結することができるので、レバー部材の配置に必要となる空間を別途設ける必要がなく、カード用コネクタを薄型化及び小型化することが可能となる。
【００１１】
さらに、上記カード用コネクタにおいては、前記レバー部材の回動に応じてカードの挿入方向と直交する方向にスライド移動する係合部材を具備し、前記押圧部材に前記係合部材のスライド移動量に応じて当該係合部材に当接する当接部を設け、前記押圧部材の当接部に対する前記係合部材の当接の有無により前記特定の接点端子を押し下げ可能とすることが好ましい。この場合には、レバー部材の回動に応じてスライド移動する係合部材と、押圧部材に設けた当接部との当接の有無により特定の接点端子を押し下げ可能としたことから、カードの挿入動作に伴って簡単に特定の接点端子を押し下げることが可能となる。
【００１２】
さらに、上記カード用コネクタにおいては、前記レバー部材の回動に応じてカードの挿入方向と直交する方向に前記押圧部材をスライド移動させ、前記押圧部材の下面に形成した段差部により前記特定の接点端子を押し下げ可能とすることが好ましい。この場合には、レバー部材の回動に応じてスライド移動する押圧部材の下面に設けた段差部により特定の接点端子を押し下げ可能としたことから、カードの挿入動作に伴って簡単に特定の接点端子を押し下げることが可能となる。
【００１３】
さらに、上記カード用コネクタにおいては、前記第１の接点端子及び第２の接点端子を、カードの挿入方向の後方側及び前方側の位置に配置すると共に前記第２の接点端子を前記特定端子とし、前記レバー部材は、前記第１のカードが挿入されると所定量移動することが好ましい。この場合には、第１のカードの挿入に伴ってレバー部材を所定量移動させると共に、押圧部材で第２の接点端子を押し下げることができるので、カードの挿入方向に沿って第１の接点端子用の接触パッドと、第２の接点端子用の接触パッドとが配置されるカードの装着に対応可能なカード用コネクタを提供することが可能となる。
【００１４】
さらに、上記カード用コネクタにおいては、前記第１の接点端子の接点部と前記第２の接点端子の接点部とを対向配置させると共に、前記第１の接点端子の半田付け部と前記第２の接点端子の半田付け部とを相反する方向に延伸させることが好ましい。この場合には、双方の接点端子の半田付け部を互いに離間した位置に配置することができるので、双方の接点端子の引き回しを簡単に行うことが可能となる。
【発明の効果】
【００１５】
本発明によれば、挿入されたカードの被係合部の形状に応じてレバー部材を移動させ、このレバー部材が所定量移動した場合に特定の接点端子をカードから離れる方向に押圧するようにしたことから、カードの被係合部の形状の違いを利用して特定の接点端子をカードから退避させることができるので、カードの厚さ寸法が近似した複数種類のカードを装着でき、装着時に不使用の接点端子の損傷を防止することが可能となる。
【図面の簡単な説明】
【００１６】
【図１】本発明の実施の形態に係るカード用コネクタに装着されるカードの一例としてのＳＤカード（ａ）及び高速カード（ｂ）の下面図である。
【図２】本発明の実施の形態１に係るコネクタの斜視図である。
【図３】実施の形態１に係るカード用コネクタの上面図である。
【図４】実施の形態１に係るカード用コネクタの分解斜視図である。
【図５】上記実施の形態に係るカード用コネクタに対してＳＤカードが挿入された場合の上面図である。
【図６】上記実施の形態に係るカード用コネクタに対してＳＤカードが挿入された場合の上面図である。
【図７】上記実施の形態に係るカード用コネクタに対してＳＤカードが挿入された場合の上面図である。
【図８】実施の形態１に係るカード用コネクタに対してＳＤカードが挿入された場合の側断面図である。
【図９】実施の形態１に係るカード用コネクタに対して高速カードが挿入された場合の上面図である。
【図１０】実施の形態１に係るカード用コネクタに対して高速カードが挿入された場合の上面図である。
【図１１】実施の形態１に係るカード用コネクタに対して高速カードが挿入された場合の上面図である。
【図１２】実施の形態１に係るカード用コネクタに対して高速カードが挿入された場合の側断面図である。
【図１３】本発明の実施の形態２に係るカード用コネクタの斜視図である。
【図１４】実施の形態２に係るカード用コネクタの上面図である。
【図１５】実施の形態２に係るカード用コネクタの分解斜視図である。
【図１６】実施の形態２に係るカード用コネクタに対してＳＤカードが挿入された場合の上面図である。
【図１７】実施の形態２に係るカード用コネクタに対してＳＤカードが挿入された場合の上面図である。
【図１８】実施の形態２に係るカード用コネクタに対してＳＤカードが挿入された場合の側断面図である。
【図１９】実施の形態２に係るカード用コネクタに対して高速カードが挿入された場合の上面図である。
【図２０】実施の形態２に係るカード用コネクタに対して高速カードが挿入された場合の上面図である。
【図２１】実施の形態２に係るカード用コネクタに対して高速カードが挿入された場合の側断面図である。
【発明を実施するための形態】
【００１７】
以下、本発明の一実施の形態について添付図面を参照して詳細に説明する。本発明に係るカード用コネクタ（以下、単に「コネクタ」という）においては、カードの厚みが近似した複数種類のカードを選択的に装着可能としつつ、カードの装着時に不使用の接点端子の損傷を防止するものである。本実施の形態に係るコネクタにおいて、装着されるカードは、特に限定されるものではないが、例えば、厚さ寸法が近似する第１のカードとしてのＳＤカードと、このＳＤカードよりもデータ転送速度が高速である、第２のカードとしてのカード（以下、「高速カード」という）とが該当する。以下においては、これらのＳＤカード及び高速カードが本実施の形態に係るコネクタに装着される場合について説明する。
【００１８】
図１は、本実施の形態に係るコネクタに装着されるカードの一例としてのＳＤカード１１００（同図（ａ））及び高速カード１２００（同図（ｂ））の下面図である。図１に示すように、これらのＳＤカード１１００と高速カード１２００とは、上述のように厚さ寸法が近似すると共に、挿入方向（図１に示す矢印Ａ方向）の先端部の形状を除き、その外形が略同一形状に設けられている。すなわち、これらのＳＤカード１１００と高速カード１２００とは、挿入方向の先端部に設けられた被係合部としての切り欠き部の形状において相違する。ＳＤカード１１００においては、図１（ａ）に示すように、単一の傾斜面１１０１により切り欠き部が構成されるのに対し、高速カード１２００においては、図１（ｂ）に示すように、凹部１２０１を挟んで配置される２つの傾斜面１２０２、１２０３により切り欠き部が構成されている。
【００１９】
また、これらのＳＤカード１１００及び高速カード１２００においては、共通してその側面部に段差部１１０２、１２０４が設けられている。一方側に配置される段差部１１０２、１２０４における挿入方向の前方寄りの位置には、凹部１１０３、１２０５が設けられている。一方、他方側に配置される段差部１１０２、１２０４における挿入方向の前方寄りの位置には、カードへの書き込みを制限する書き込み制限スイッチ１１０４、１２０６が設けられている。
【００２０】
さらに、これらのＳＤカード１１００と高速カード１２００とは、コネクタにおける各種接点端子との接触パッドの構成において相違する。ＳＤカード１１００においては、挿入方向の先端部下面に設けられた複数の凹部１１０５に、それぞれ単一の接触パッド１１０６（例外的に図１に示す最右方側の凹部１１０５のみ２つの接触パッド１１０６）が設けられる。これに対し、高速カード１２００においては、原則として、ＳＤカード１１００と同様に、複数の凹部１２０７に、それぞれ単一の接触パッド１２０８が設けられる一方、特定の凹部１２０７（最も外側の凹部１２０７から３つ目の凹部１２０７）において更に２つの接触パッド１２０９が設けられている。接触パッド１２０９は、該当する凹部１２０７における接触パッド１２０８の挿入方向の前方側に並べて配置されている。
【００２１】
本実施の形態に係るコネクタにおいては、これらのようなＳＤカード１１００と高速カード１２００とを選択的に装着可能としつつ、カードの装着時に不使用となる接点端子（例えば、ＳＤカード１１００の装着時に不使用となる接触パッド１２０９に対応する接点端子）の損傷を防止するものである。以下、本実施の形態（実施の形態１、実施の形態２）に係るコネクタの構成について説明する。
【００２２】
（実施の形態１）
図２及び図３は、本発明の実施の形態１に係るコネクタ１の斜視図及び上面図である。なお、図２及び図３においては、説明の便宜上、コネクタ１が有するカバー部材を省略している。以下においては、適宜、コネクタ１における図２に示す紙面右上方側を「コネクタ１の前方側」又は単に「前方側」と呼び、同図に示す紙面左下方側を「コネクタ１の後方側」又は単に「後方側」と呼ぶものとする。
【００２３】
図２に示すように、本実施の形態に係るコネクタ１は、合成樹脂材料などの絶縁材料を成形して形成されるハウジング２と、金属薄板材料に打ち抜き加工及び折り曲げ加工などを施して形成される不図示のカバー部材とを備えている。ハウジング２は、概して上方側及び後方側に開口した扁平の箱形状を有しており、カバー部材は、ハウジング２の上方側に取り付けられた状態でハウジング２との間に一定の空間を形成する形状を有している。このカバー部材がハウジング２に取り付けられることで、コネクタ１の後方側にカード挿入口が形成されると共に、ハウジング２内にＳＤカード１１００又は高速カード１２００が装着可能な空間（カード装着空間）が形成される。
【００２４】
ハウジング２は、図２及び図３に示すように、コネクタ１の底面部を構成するベース部２０１と、コネクタ１の側端部において、このベース部２０１から上方側に垂直に立設された側壁部２０２とを有している。ベース部２０１には、コネクタ１の前後に２つの開口部２０３ａ、ｂが形成されている。これらの開口部２０３ａ、ｂに対応する位置に、コネクタ１に装着されたＳＤカード１１００、高速カード１２００の接触パッド１１０６、１２０８に接触する複数の接点端子２０４がコネクタ１の左右方向に並設されている。接点端子２０４は、その両端部を除く所定部位をベース部２０１にインサート成形等により埋設されている。接点端子２０４の前方側端部２０４ａは、開口部２０３ａから露出すると共に上方側に持ち上げられ、その端部近傍がＳＤカード１１００と高速カード１２００の接触パッド１１０６、１２０８に弾性的に接触するように構成されている。一方、接点端子２０４の後方側端部２０４ｂは、開口部２０３ｂから露出すると共に、僅かに下方側に折り曲げられ、不図示の基板の導体に半田接続可能に構成されている。
【００２５】
また、ハウジング２の前方側端部には、上方側に垂直に延出する前壁部２０５が設けられている。この前壁部２０５の下端部近傍には、開口部２０３ａに延出して高速カード１２００の接触パッド１２０９に接触する４本の接点端子２０６がコネクタ１の左右方向に並設されている。接点端子２０６は、その両端部を除く所定部位を前壁部２０５にインサート成形等により埋設されている。接点端子２０６の後方側端部２０６ａは、開口部２０３ａから露出すると共に上方側に持ち上げられ、その端部近傍が高速カード１２００の接触パッド１２０９に弾性的に接触するように構成されている。一方、接点端子２０６の前方側端部２０６ｂは、前壁部２０５から前方側に露出すると共に、僅かに下方側に折り曲げられ、不図示の基板の導体に半田接続可能に構成されている（図４参照）。なお、これらの接点端子２０６が埋設される前壁部２０５の内壁には、一対の凹部２０５ａが設けられ、この凹部２０５ａから２本ずつ接点端子２０６が後方側に延出している。
【００２６】
さらに、右方側の側壁部２０２の近傍には、カード装着空間の所定位置に装着されたＳＤカード１１００又は高速カード１２００を排出する排出機構３が配設されている。排出機構３は、ＳＤカード１１００又は高速カード１２００の挿入及び排出動作に伴ってスライド移動するスライダ４と、このスライダ４をＳＤカード１１００及び高速カード１２００の排出方向（コネクタ１の後方側）に付勢する付勢ばね５と、付勢ばね５の付勢力に抗してスライダ４を所定のロック位置にロックするロック機構とから構成されている。また、このロック機構は、スライダ４の上面に形成されたカム溝６と、このカム溝６と係合する係合ピン７とから構成されている。
【００２７】
スライダ４は、一端が前壁部２０５に係止された付勢ばね５の他端を係止した状態で配設されている。このスライダ４の上面に形成されたカム溝６には、一端（後端）が右方側の側壁部２０２の後端部近傍に形成された保持孔２０７に回動可能に保持された係合ピン７の他端（前端）が係合する。排出機構３においては、付勢ばね５の付勢力によりＳＤカード１１００又は高速カード１２００の排出方向に付勢されるスライダ４の移動を係合ピン７で規制するものとなっている。なお、カバー部材における係合ピン７に対応する位置には、係合ピン７が適切にカム溝６に係合するように係合ピン７をスライダ４側に押圧する押圧片が設けられている。
【００２８】
スライダ４の上方側には、ＳＤカード１１００又は高速カード１２００の先端部との当接に応じて回動するレバー部材８が回動可能に保持されている。また、このレバー部材８の前方側端部には、レバー部材８の回動に応じてカードの挿入方向と直交する方向、より具体的には、コネクタ１の左右方向にスライド移動する係合部材９が連結されている。これらのレバー部材８及び係合部材９は、スライダ４のスライド移動に伴って、コネクタ１の前後方向に移動するように構成されている。この係合部材９の前方側には、接点端子２０６上に配置され、係合部材９との当接により接点端子２０６を下方側に押圧する押圧部材１０が配設されている。押圧部材１０は、開口部２０３ａにおける前壁部２０５の近傍の位置に配置され、その一部が凹部２０５ａに収容された状態となっている。
【００２９】
ここで、これらのスライダ４、レバー部材８、係合部材９及び押圧部材１０の構成について図４を参照しながら説明する。図４は、本実施の形態に係るコネクタ１の分解斜視図である。スライダ４は、例えば、合成樹脂材料などの絶縁材料を成形して形成され、図４に示すように、概してＬ字形状を有しており、コネクタ１の前後方向に延伸する基部４１と、この基部４１の前方側端部から左方側に延伸する腕部４２とを有している。上述したカム溝６は、基部４１の上面における後方側端部近傍に形成されている。また、基部４１の中央近傍には、レバー部材８の一部を収容する凹部４１１が設けられており、この凹部４１１には、レバー部材８を回動可能に保持する軸部４１２が設けられている。さらに、カム溝６と凹部４１１との間には、ＳＤカード１１００、高速カード１２００の凹部１０３、２０５と係合してＳＤカード１１００、高速カード１２００の飛び出しを防止する係合部材１１が収容される凹部４１３が設けられている。この係合部材１１は、弾性を有する金属材料から構成され、凹部４１３から突出片１１ａを突出させた状態で凹部４１３に収容される。一方、腕部４２の上端には、係合部材９のスライド移動を案内するガイド部４２１がコネクタ１の左右方向に延伸して設けられている。
【００３０】
基部４１に設けられたカム溝６の中央領域には、概してハート形状を有するハート型カム６１が設けられている。カム溝６は、ハート型カム６１の周囲でループ状に形成されるものであり、ハート型カム６１の左方側に配置される第１ガイド溝６２、右方側に配置される第２ガイド溝６３、並びに、第１及び第２ガイド溝６２、６３の後方側端部に連結され、ＳＤカード１１００又は高速カード１２００がロックされる時に係合ピン７の前端部が位置する停止部を有する凹み溝６４で構成されている。このようなカム溝６に係合する係合ピン７の前端部は、ＳＤカード１１００又は高速カード１２００の挿入動作に伴って初期位置（図３に示す位置）から第１ガイド溝６２に沿って案内され、凹み溝６４の停止部に配置された状態でロック状態とされる（すなわち、凹み溝６４の停止部における停止位置がロック位置とされる）。また、ロック状態からのＳＤカード１１００又は高速カード１２００の排出動作に伴って凹み溝６４の停止部から出て、第２ガイド溝６３に沿って案内される。
【００３１】
レバー部材８は、例えば、合成樹脂材料などの絶縁材料を成形して形成され、コネクタ１の前後方向に延伸する形状を有している。レバー部材８の後端部近傍には、スライダ４の軸部４１２が挿通される孔８１が形成され、前端部近傍には、後述する係合部材９の軸部９１２が挿通される長孔８２が形成されている。また、レバー部材８の左方側の側面には、カード装着空間側に僅かに突出する突出片８３が設けられている。このレバー部材８は、トーションばね１２を介在させて軸部４１２に取り付けられており、初期状態においては前方側端部がカード装着空間側に付勢された状態（すなわち、前方側端部が後方側端部よりもカード装着空間側にせり出して傾斜した状態）で保持されている（図２及び図３参照）。そして、詳細について後述するように、挿入されたＳＤカード１１００又は高速カード１２００との当接に応じて、前方側端部をスライダ４側に移動させるように回動可能に構成されている。
【００３２】
係合部材９は、例えば、合成樹脂材料などの絶縁材料を成形して形成され、概してスライダ４の腕部４２を抱え込む形状を有している。具体的には、腕部４２の上方側に配置される上面部９１と、腕部の下方側に配置される下面部９２と、上面部９１と下面部９２とを連結する後面部９３とを有し、上述したガイド部４２１をこれらの内側に収容する形状に設けられている。上面部９１の後方側端部には、凹部９１１が設けられており、この凹部９１１には、レバー部材８を回動可能に保持する軸部９１２が設けられている。係合部材９は、軸部９１２によりレバー部材８の前方側端部に連結され、レバー部材８の回動に応じて腕部４２のガイド部４２１上をコネクタ１の左右方向にスライド移動可能に構成されている。
【００３３】
押圧部材１０は、例えば、合成樹脂材料などの絶縁材料を成形して形成され、コネクタ１の左右方向の略全域に亘る長尺形状を有している。押圧部材１０の側端部には、後方側端部にハウジング２の側壁部２０２に形成された保持孔２０８に軸受けされる軸部１００１が設けられている。これらの軸部１００１を保持孔２０８で軸受けされることで、押圧部材１０は、その前方側端部を上下方向に揺動可能に構成されている。また、押圧部材１０の中央近傍には、２つの開口部１００２が設けられると共に、この開口部１００２の前方側に突出する係合部１００３が設けられている。これらの係合部１００３は、ハウジング２の前壁部２０５の凹部２０５ａに収容され、上方側から接点端子２０６に載置される構成となっている。接点端子２０６は、開口部１００２から開口部２０３ａ側に延出するものとなっている。さらに、押圧部材１０の右方側端部には、スライダ４と共にスライド移動する係合部材９と当接する当接面１００４が設けられている。そして、この当接面１００４の中央には、係合部材９を収容可能な凹部１００５が設けられている。詳細について後述するように、押圧部材１０においては、当接面１００４がＳＤカード１１００が挿入された状態の係合部材９と当接して押し下げられ、係合部１００３で接点端子２０６を下方側に押圧するように構成されている。一方、凹部１００５が高速カード１２００が挿入された状態の係合部材９を収容することにより、押圧部材１０が押し下げられることなく、接点端子２０６が高速カード１２００の接触パッド２０９に接触可能に構成されている。
【００３４】
このような構成を有し、本実施の形態に係るコネクタ１においては、互いに形状が異なるカード（ＳＤカード１１００、高速カード１２００）の切り欠き部を挿入方向のカードの隅部に設け、レバー部材８を当該カードの隅部に対応させて配置している。これにより、カードの切り欠き部とレバー部材８とをカードの挿入方向と直交する幅方向にオーバーラップして配置することができるので、コネクタ１の幅方向の寸法を小型化することが可能となっている。
【００３５】
また、本実施の形態に係るコネクタ１においては、接点端子２０６及び押圧部材１０をレバー部材８におけるカードの挿入方向の前方側に配置している。これにより、一般的にデッドスペースになり得るコネクタ１の前端部近傍を有効に利用することができるので、コネクタ１のカードの挿入方向の寸法を小型化することが可能となっている。
【００３６】
さらに、本実施の形態に係るコネクタ１においては、挿入されたカードの側方を案内するガイド部材としてのスライダ４を備え、レバー部材８をこのスライダ４に回動可能に連結している。これにより、スライダ４の幅及び厚さを利用してレバー部材８を回動可能に連結することができるので、レバー部材８の配置に必要となる空間を別途設ける必要がなく、コネクタ１を薄型化及び小型化することが可能となっている。
【００３７】
さらに、本実施の形態に係るコネクタ１においては、接点端子２０４の接点部（前方側端部２０４ａ）と、接点端子２０６の接点部（後方側端部２０６ａ）とを対向配置させると共に、接点端子２０４の半田付け部（後方側端部２０４ｂ）と接点端子２０６の半田付け部（前方側端部２０６ｂ）とを相反する方向に延伸させている。これにより、双方の接点端子２０４、２０６の半田付け部を互いに離間した位置に配置することができるので、双方の接点端子２０４、２０６の引き回しを簡単に行うことが可能となる。
【００３８】
次に、本実施の形態に係るコネクタ１に対してＳＤカード１１００及び高速カード１２００を装着する際の動作について説明する。図５〜図７は、本実施の形態に係るコネクタ１に対してＳＤカード１１００が挿入された場合の上面図である。図８は、本実施の形態に係るコネクタ１に対してＳＤカード１１００が挿入された場合の側断面図である。図９〜図１１は、本実施の形態に係るコネクタ１に対して高速カード１２００が挿入された場合の上面図である。図１２は、本実施の形態に係るコネクタ１に対して高速カード１２００が挿入された場合の側断面図である。なお、カードが挿入される前の初期状態においては、コネクタ１は図３に示す状態となっている。
【００３９】
図３に示す状態からＳＤカード１１００は、スライダ４の基部４１の内壁面に沿って挿入される。そして、ＳＤカード１１００がカード装着空間内を進むと、その傾斜面１１０１の後端部がレバー部材８の突出片８３に当接する（図５参照）。これにより、レバー部材８が僅かにスライダ４側に回動し、これに伴って係合部材９が僅かにスライダ４側にスライド移動する。そして、ＳＤカード１１００がカード装着空間の所定位置まで進むと、図５に示すように、ＳＤカード１１００の先端部がスライダ４の腕部４２に当接すると共に、係合部材１１の突出片１１ａがＳＤカード１１００の凹部１１０３に係合した状態となる。
【００４０】
図５に示す状態からＳＤカード１００を前方側に押し込んでいくと、スライダ４が付勢ばね５の付勢力に抗してＳＤカード１１００と一緒に前方側にスライド移動していく。この場合、レバー部材８及び係合部材９は、図５に示す状態を維持しており、所定位置までスライダ４が押し込まれると、図６に示すように、係合部材９の前方側端部（の下面）が押圧部材１０の当接面１００４に当接する。なお、この時点においては、係合部材９が押圧部材１０の当接面１００４に当接した状態であり、押圧部材１０は押し下げられていない。
【００４１】
図６に示す状態からＳＤカード１１００を更に前方側に押し込んでいくと、スライダ４がＳＤカード１１００と更に前方側にスライド移動していく。この場合にも、レバー部材８及び係合部材９は、図５に示す状態を維持しており、係合部材９は、図７に示すように、押圧部材１０の当接面１００４上を前方側にスライド移動していく。この場合、押圧部材１０は、この係合部材９との当接により押し下げられ、軸部１００１を回動支点として前方側部分が下方側に回動するものとなっている。
【００４２】
図５〜図７に示すように、ＳＤカード１１００が装着される過程において、接点端子２０４及び接点端子２０６の状態は、図８（ａ）〜図８（ｃ）に示すように移行していく。図５に示すように、ＳＤカード１１００が挿入され、スライダ４が前方側に移動していない状態においては、図８（ａ）に示すように、接点端子２０４の前方側端部２０４ａは、ＳＤカード１１００の凹部１１０５に収容されていない状態となっている。この場合、押圧部材１０に係合部材９が到達していないことから、押圧部材１０は駆動されず、初期状態を維持している。このため、接点端子２０６も、初期状態（図３に示す状態）に維持されている。
【００４３】
図６に示すように、ＳＤカード１１００が前方側に押し込まれ、係合部材９が押圧部材１０の当接面１００４に当接する時点の状態においては、図８（ｂ）に示すように、接点端子２０４の前方側端部２０４ａが凹部１１０５に収容されるが、接触パッド１１０６には接触していない状態となっている。この場合、係合部材９は、押圧部材１０の当接面１００４に当接した状態となっているが、押圧部材１０は駆動されず、初期状態に維持されている。このため、接点端子２０６も、初期状態に維持されている。
【００４４】
図７に示すように、ＳＤカード１１００が更に前方側に押し込まれた後、ロックされた状態においては、図８（ｃ）に示すように、接点端子２０４の前方側端部２０４ａが接触パッド１１０６に接触した状態となっている。この場合、図７に示すように、押圧部材１０の当接面１００４は、係合部材９により押し下げられ、これに伴って係合部１００３により接点端子２０６が下方側に押圧される。このため、接点端子２０６は、ＳＤカード１１００の下面から下方側に退避した状態とされ、ＳＤカード１１００と接触することはない。
【００４５】
一方、高速カード１２００は、図３に示す状態から、スライダ４の基部４１の内壁面に沿って挿入される。そして、高速カード１２００がカード装着空間内を進むと、凹部１２０１にレバー部材８の突出片８３が入り込むと共に、突出片８３の後方側端部が傾斜面１２０１に当接する（図９参照）。このように突出片８３が凹部１２０１に入り込むことにより、レバー部材８が回動することはなく、係合部材９がスライド移動することもない。すなわち、レバー部材８及び係合部材９は、図３に示す初期位置に維持される。そして、高速カード１２００がカード装着空間の所定位置まで進むと、図９に示すように、高速カード１２００の先端部がスライダ４の腕部４２に当接すると共に、係合部材１１の突出片１１ａが高速カード１２００の凹部１２０５に係合した状態となる。
【００４６】
図９に示す状態から高速カード１２００を前方側に押し込んでいくと、スライダ４が付勢ばね５の付勢力に抗して高速カード１２００と一緒に前方側にスライド移動していく。この場合、レバー部材８及び係合部材９は、図９に示す状態を維持しており、所定位置までスライダ４が押し込まれると、図１０に示すように、係合部材９の前方側端部が押圧部材１０の凹部１００５に収容される。この場合、凹部１００５は、係合部材９の下端部を収容可能に設けられており、係合部材９と押圧部材１０とが当接することはない。
【００４７】
図１０に示す状態から高速カード１２００を更に前方側に押し込んでいくと、スライダ４が高速カード１２００と更に前方側にスライド移動していく。この場合にも、レバー部材８及び係合部材９は、図９に示す状態を維持しており、係合部材９は、図１１に示すように、押圧部材１０の凹部１００５上を前方側にスライド移動している。この場合、押圧部材１０は、この係合部材９と当接しない状態を維持しながら、前方側にスライド移動することとなる。
【００４８】
図９〜図１１に示すように、高速カード１２００が装着される過程において、接点端子２０４及び接点端子２０６の状態は、図１２（ａ）〜図１２（ｃ）に示すように移行していく。図９に示すように、高速カード１２００が挿入され、スライダ４が前方側に移動していない状態においては、図１２（ａ）に示すように、接点端子２０４の前方側端部２０４ａは、高速カード１２００の凹部１２０７に収容されていない状態となっている。この場合、押圧部材１０に係合部材９が到達していないことから、押圧部材１０は駆動されず、初期状態を維持している。このため、接点端子２０６も、初期状態（図３に示す状態）に維持されている。
【００４９】
図１０に示すように、高速カード１２００が前方側に押し込まれ、係合部材９が押圧部材１０の凹部１００５に収容される時点の状態においては、図１２（ｂ）に示すように、接点端子２０４の前方側端部２０４ａが凹部１２０７に収容されるが、接触パッド１２０８には接触していない状態となっている。この場合、係合部材９は、押圧部材１０の凹部１００５に収容された状態となっており、押圧部材１０は駆動されず、初期状態に維持されている。このため、接点端子２０６も、初期状態（図３に示す状態）に維持されている。
【００５０】
図１１に示すように、高速カード１２００が更に前方側に押し込まれた後、ロックされた状態においては、図１２（ｃ）に示すように、接点端子２０４の前方側端部２０４ａが接触パッド１２０８に接触した状態となっている。この場合においても、係合部材９は、図１１に示すように、押圧部材１０の凹部１００５上を前方側にスライド移動するのみであるので、押圧部材１０は駆動されず、初期状態に維持されている。このため、接点端子２０６も、初期状態（図３に示す状態）を維持しており、その後方側端部２０６ａが高速カード１２００の接触パッド１２０９に接触した状態となっている。
【００５１】
このように実施の形態１に係るコネクタ１においては、挿入されたカードの先端に設けられた切り欠き部の形状に応じてレバー部材８を移動させ、このレバー部材８が所定量移動した場合に特定の接点端子をカードから離れる方向に押圧するようにしたことから、カードの切り欠き部の形状の違いを利用して特定の接点端子をカードから退避させることができるので、カードの厚さ寸法が近似した複数種類のカードを装着でき、装着時に不使用の接点端子の損傷を防止することが可能となる。より具体的には、ＳＤカード１１００が挿入された場合にはレバー部材８を回動させると共に係合部材９をスライド移動させ、押圧部材１０を回動させることで高速カード１２００専用の接点端子２０６を押し下げる一方、高速カード１２００が挿入された場合には、レバー部材８を回動させない結果、接点端子２０６を初期状態に維持するようにしたことから、厚さ寸法の近似するＳＤカード１１００及び高速カード１２００の装着に対応しつつ、ＳＤカード１１００の挿入時に不使用の接点端子２０６をカードから退避させてその損傷を防止することが可能となる。
【００５２】
特に、実施の形態１に係るコネクタ１においては、レバー部材８の回動に応じてカードの挿入方向と直交する方向にスライド移動する係合部材９を備える一方、押圧部材１０にこの係合部材９のスライド移動量に応じて当該係合部材９に当接する当接面１００４を設け、押圧部材１０の当接面１００４に対する係合部材９の当接の有無により接点端子２０６を押し下げ可能としていることから、ＳＤカード１１００の挿入動作に伴って簡単に接点端子２０６を押し下げることが可能となる。
【００５３】
また、実施の形態１に係るコネクタ１においては、接点端子２０４及び接点端子２０６を、カードの挿入方向の後方側及び前方側の位置に配置すると共に接点端子２０６を押圧部材１０により押圧可能とし、ＳＤカード１００の挿入に応じてレバー部材８を移動可能としている。これにより、ＳＤカード１００の挿入に伴ってレバー部材８を移動させると共に、押圧部材１０で接点端子２０６を押し下げることができるので、カードの挿入方向に沿ってＳＤカード１１００用の接触パッドと、高速カード１２００用の接触パッドとが配置されるカードの装着に対応可能なコネクタ１を提供することが可能となる。
【００５４】
（実施の形態２）
本発明の実施の形態２に係るコネクタ１３においては、スライダ４を備えていない点、並びに、高速カード１２００用の接点端子を下方側に押圧する押圧部材がスライド移動する点において、実施の形態１に係るコネクタ１と相違する。図１３及び図１４は、それぞれ本発明の実施の形態２に係るコネクタ１３の斜視図及び上面図である。なお、図１３においては、説明の便宜上、コネクタ１３が有するカバー部材を省略している。以下においては、適宜、コネクタ１３における図１３に示す紙面右上方側を「コネクタ１３の前方側」又は単に「前方側」と呼び、同図に示す紙面左下方側を「コネクタ１３の後方側」又は単に「後方側」と呼ぶものとする。
【００５５】
図１３及び図１４に示すように、本実施の形態に係るコネクタ１３は、合成樹脂材料などの絶縁材料を成形して形成されるハウジング１４と、金属薄板材料に打ち抜き加工及び折り曲げ加工などを施して形成される不図示のカバー部材とを備えている。ハウジング１４は、概して上方側及び後方側に開口した扁平の箱形状を有しており、カバー部材は、ハウジング１４の上方側に取り付けられた状態でハウジング１４との間に一定の空間を形成する形状を有している。このカバー部材がハウジング１４に取り付けられることで、コネクタ１３の後方側にカード挿入口が形成されると共に、ハウジング１４内にＳＤカード１１００又は高速カード１２００が装着可能な空間（カード装着空間）が形成される。
【００５６】
ハウジング１４は、コネクタ１３の底面部を構成するベース部１４０１と、コネクタ１３の側端部において、このベース部１４０１から上方側に垂直に立設された側壁部１４０２とを有している。ベース部１４０１には、開口部１４０３が形成されている。この開口部１４０３に対応する位置に、コネクタ１３に装着されたＳＤカード１１００、高速カード１２００の接触パッド１１０６、１２０８に接触する複数の接点端子１４０４がコネクタ１の左右方向に並設されている。接点端子１４０４は、その両端部を除く所定部位をベース部２０１にインサート成形等により埋設されている。接点端子１４０４の前方側端部１４０４ａは、開口部１４０３から露出すると共に上方側に持ち上げられ、その端部近傍がＳＤカード１１００と高速カード１２００の接触パッド１１０６、１２０８に弾性的に接触するように構成されている。一方、接点端子１４０４の後方側端部１４０４ｂは、コネクタ１３の後方側に露出すると共に、僅かに下方側に折り曲げられ、不図示の基板の導体に半田接続可能に構成されている。
【００５７】
また、ハウジング１４の前方側端部には、上方側に垂直に延出する前壁部１４０５が設けられている。この前壁部１４０５の下端部近傍には、開口部１４０３に延出して高速カード１２００の接触パッド１２０９に接触する４本の接点端子１４０６がコネクタ１３の左右方向に並設されている。接点端子１４０６は、その両端部を除く所定部位を前壁部１４０５にインサート成形等により埋設されている。接点端子１４０６の後方側端部１４０６ａは、開口部１４０３から露出すると共に上方側に持ち上げられ、その端部近傍が高速カード１２００の接触パッド１２０９に弾性的に接触するように構成されている。一方、接点端子１４０６の前方側端部１４０６ｂは、前壁部１４０５から前方側に露出すると共に、僅かに下方側に折り曲げられ、不図示の基板の導体に半田接続可能に構成されている（図１４参照）。
【００５８】
さらに、右方側の側壁部１４０２には、カード装着空間に挿入されるＳＤカード１１００、高速カード１２００の右方側側面をガイドするガイド部１４０８が設けられている。このガイド部１４０８の上方側には、ＳＤカード１１００又は高速カード１２００の先端部との当接に応じて回動するレバー部材１５が回動可能に保持されている。また、このレバー部材１５の前方側端部には、レバー部材１５の回動に応じてカードの挿入方向と直交する方向、より具体的には、コネクタ１の左右方向にスライド移動するスライド部材１６が連結されている。このスライド部材１６の左方側部分には、接点端子２０６上に配置され、スライド部材１６のスライド位置に応じて接点端子２０６を下方側に押圧する段差部が下面に形成された押圧部材１７が配設されている。
【００５９】
なお、ガイド部１４０８の上面には、レバー部材１５の一部を収容する凹部１４０９が設けられており、この凹部１４０９には、レバー部材１５を回動可能に保持する軸部１４１０が設けられている。また、この凹部１４０９の後方側には、ＳＤカード１１００、高速カード１２００の凹部１１０３、１２０５と係合してＳＤカード１１００、高速カード１２００の飛び出しを防止する係合部材１８が収容される凹部１４１１が設けられている。また、右方側の側壁部１４０２の前方側端部の内壁には、後述する付勢ばね１９の一端を係止する係止片１４１２が設けられている。さらに、前壁部１４０５の右方側部分には、スライド部材１６のスライド移動をガイドするガイド部１４１３が設けられている。さらに、前壁部１４０５の後方側には、押圧部材１７のスライド移動をガイドするガイド部１４１４が設けられている（図１５参照）。
【００６０】
ここで、これらのレバー部材１５、スライド部材１６及び押圧部材１７の構成について図１５を参照しながら説明する。図１５は、本実施の形態に係るコネクタ１３の分解斜視図である。レバー部材１５は、例えば、合成樹脂材料などの絶縁材料を成形して形成され、コネクタ１３の前後方向に延伸する形状を有している。レバー部材１５の後端部近傍には、ガイド部１４０８の軸部１４１０が挿通される孔１５０１が形成され、前端部近傍には、後述するスライド部材１６の軸部１６０６が挿通される長孔１５０２が形成されている。また、レバー部材１５の左方側の側面には、カード装着空間側に僅かに突出する突出片１５０３が設けられている。このレバー部材１５は、後述する付勢ばね１９による付勢力により、初期状態においては前方側端部がカード装着空間側に付勢された状態（すなわち、前方側端部が後方側端部よりもカード装着空間側にせり出して傾斜した状態）で保持されている（図１４参照）。そして、詳細について後述するように、挿入されたＳＤカード１１００又は高速カード１２００との当接に応じて、前方側端部をスライダ４側に移動させるように回動可能に構成されている。
【００６１】
スライド部材１６及び押圧部材１７は、例えば、合成樹脂材料などの絶縁材料を成形して一体的に形成されている。スライド部材１６は、レバー部材１５と連結される基部１６０１と、この基部１６０１の下端部で押圧部材１７側に延伸する平面部１６０２とを有している。基部１６０１の下面には、スライド部材１６及び押圧部材１７を左方側に付勢する付勢部材１９の一端を収容する収容部１６０３が設けられると共に、ガイド部１４１３に案内される被案内部１６０４が設けられている。また、基部１６０１の上面には、凹部１６０５が設けられており、この凹部１６０５には、レバー部材１５を回動可能に保持する軸部１６０６が設けられている。スライド部材１６は、軸部１６０６によりレバー部材１５の前方側端部に連結され、レバー部材１５の回動に応じてガイド部１４１３をコネクタ１の左右方向にスライド移動可能に構成されている。
【００６２】
押圧部材１７は、概してコネクタ１３の左右方向に延伸する長尺形状を有している。押圧部材１７の下面には、ガイド部１４１４を収容し、このガイド部１４１４に案内される被案内部１７０１が設けられている。また、押圧部材１７における接点端子１４０６に対応する位置には、押圧部材１７のスライド移動に応じて接点端子１４０６を下方側に押圧する押圧部１７０２が設けられている。この押圧部１７０２の右方側には、初期状態において接点端子１４０６を収容する凹部１７０３が設けられている。詳細について後述するように、押圧部材１７は、これらの押圧部１７０２と凹部１７０３とで構成される段差部により、押圧部材１７のスライド状態に応じて接点端子１４０６を下方側に押圧可能に構成されている。
【００６３】
次に、本実施の形態に係るコネクタ１３に対してＳＤカード１１００及び高速カード１２００を装着する際の動作について説明する。図１６及び図１７は、本実施の形態に係るコネクタ１３に対してＳＤカード１１００が挿入された場合の上面図である。図１８は、本実施の形態に係るコネクタ１３に対してＳＤカード１１００が挿入された場合の側断面図である。図１９及び図２０は、本実施の形態に係るコネクタ１３に対して高速カード１２００が挿入された場合の上面図である。図２１は、本実施の形態に係るコネクタ１３に対して高速カード１２００が挿入された場合の側断面図である。なお、カードが挿入される前の初期状態においては、コネクタ１は図１４に示す状態となっている。また、押圧部材１７は、接点端子１４０６をその凹部１７０３に収容した状態となっている。
【００６４】
図１４に示す状態からＳＤカード１１００は、ガイド部１４０８の内壁面に沿って挿入される。そして、ＳＤカード１１００がカード装着空間内を進むと、その傾斜面１１０１の後端部がレバー部材１５の突出片１５０３に当接する。これにより、図１６に示すように、レバー部材１５が僅かに右方側に回動し、これに伴ってスライド部材１６が僅かに右方側にスライド移動する。この場合、スライド部材１６に連結された押圧部材１７の右方側にスライド移動する。そして、ＳＤカード１１００が更に前方側に押し込まれ、カード装着空間の所定位置まで進むと、図１７に示すように、レバー部材１５が更に回動すると共に、係合部材１８の突出片１８０１がＳＤカード１１００の凹部１１０３に係合した状態となる。
【００６５】
図１６及び図１７に示すように、ＳＤカード１１００が装着される過程において、接点端子２０４及び接点端子２０６の状態は、図１８（ａ）、図１８（ｂ）に示すように移行していく。図１６に示すように、ＳＤカード１１００が挿入され、僅かにレバー部材１５が回動した状態においては、図１８（ａ）に示すように、接点端子１４０４の前方側端部１４０４ａは、ＳＤカード１１００の凹部１１０５に収容され、接触パッド１１０６に接触した状態となっている。この場合、押圧部材１０は、レバー部材１５の回動に応じて右方側にスライド移動し、これに伴って押圧部１７０２が接点端子２０６の後方側端部２０６ａを下方側に押圧した状態となっている。このため、接点端子２０６は、ＳＤカード１１００の下面から下方側に退避した状態とされ、ＳＤカード１１００と接触することはない。
【００６６】
また、図１７に示すように、ＳＤカード１１００が更に押し込まれた状態においても、図１８（ｂ）に示すように、押圧部材１０の押圧部１７０２により接点端子２０６の後方側端部２０６ａが下方側に押圧された状態となっている。このため、接点端子２０６は、ＳＤカード１１００の下面から下方側に退避した状態とされ、ＳＤカード１１００と接触することはない。
【００６７】
一方、高速カード１２００は、図１４に示す状態から、ガイド部１４０８の内壁面に沿って挿入される。そして、高速カード１２００がカード装着空間内を進むと、図１９に示すように、凹部１２０１にレバー部材１５の突出片１５０３が入り込む。このように突出片１５０３が凹部１２０１に入り込むことにより、レバー部材１５が回動することはなく、スライド部材１６がスライド移動することもない。すなわち、スライド部材１６及び押圧部材１７は、図１４に示す初期位置に維持されている。そして、高速カード１２００が更に前方側に押し込まれ、カード装着空間の所定位置まで進むと、図２０に示すように、係合部材１８の突出片１８０１が高速カード１２００の凹部１２０５に係合した状態となる。この場合にも、レバー部材１５が回動することなく、スライド部材１６及び押圧部材１７は、図１４に示す初期位置に維持されている。
【００６８】
図１９及び図２０に示すように、高速カード１２００が装着される過程において、接点端子２０４及び接点端子２０６の状態は、図２１（ａ）、図２１（ｂ）に示すように移行していく。図１９に示すように、高速カード１２００が挿入された状態においては、図２１（ａ）に示すように、接点端子１４０４及び接点端子１４０６が共に高速カード１２００の凹部１２０７に収容され、接点端子１４０４の前方側端部１４０４ａが接触パッド１２０８に接触した状態となっている。この場合、レバー部材１５が回動しておらず、押圧部材１７が初期状態に維持されていることから、接点端子１４０６は、その下面に設けられた凹部１７０３に収容された状態となっており、図１４に示す初期状態に維持されている。このため、接点端子１４０６は、その後方側端部１４０６ａが接触パッド１２０９に接触した状態となっている。
【００６９】
また、図２０に示すように、高速カード１２００が更に押し込まれた状態においても、図２１（ｂ）に示すように、接点端子１４０４は、接触パッド１２０８に接触した状態となっている。また、接点端子２０６の後方側端部２０６ａは、押圧部材１０の凹部１７０３に収容され、初期状態に維持されている。このため、接点端子１４０６は、その後方側端部１４０６ａが接触パッド１２０９に接触した状態となっている。
【００７０】
このように実施の形態２に係るコネクタ１３においても、挿入されたカードの先端に設けられた切り欠き部の形状に応じてレバー部材８を移動させ、このレバー部材８が所定量移動した場合に特定の接点端子をカードから離れる方向に押圧するようにしたことから、カードの切り欠き部の形状の違いを利用して特定の接点端子をカードから退避させることができるので、カードの厚さ寸法が近似した複数種類のカードを装着でき、装着時に不使用の接点端子の損傷を防止することが可能となる。より具体的には、ＳＤカード１１００が挿入された場合にはレバー部材１５を回動させると共に押圧部材１７をスライド移動させ、その下面の押圧部１７０２で高速カード１２００専用の接点端子２０６を押し下げる一方、高速カード１２００が挿入された場合には、レバー部材８を回動させない結果、押圧部材１７をスライド移動せず、接点端子１４０６を押圧部材１７の凹部１７０３に収容するようにしたことから、厚さ寸法の近似するＳＤカード１１００及び高速カード１２００の装着に対応しつつ、ＳＤカード１１００の挿入時に不使用の接点端子１４０６をカードから退避させてその損傷を防止することが可能となる。
【００７１】
特に、実施の形態２に係るコネクタ１３においては、レバー部材８の回動に応じてカードの挿入方向と直交する方向に押圧部材１７をスライド移動させ、押圧部材１７の下面に形成した段差部（押圧部１７０２、凹部１７０３からなる段差部）により接点端子２０６を押し下げ可能としていることから、ＳＤカード１１００の挿入動作に伴って簡単に接点端子２０６を押し下げることが可能となる。
【００７２】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００７３】
例えば、上記実施の形態に係るコネクタ１（１３）においては、図１（ｂ）に示すように、凹部１２０７内にカード挿入方向の前後に配置された接触パッド１２０８と、接触パッド１２０９の一方に対応する接点端子２０６（１４０６）をカードの下面から退避できる場合について説明しているが、本実施の形態に係るコネクタ１（１３）で対応可能なカードの態様については、これに限定されるものではなく適宜変更が可能である。例えば、隣接する凹部１２０７の間の桟部が除去され、その一部に接触パッド１２０９が配置されるように構成のカードにも対応することができる。このようなカードが装着対象となるカードに含まれる場合においても、カードの厚さ寸法が近似した複数種類のカードを装着でき、装着時に不使用の接点端子（接点端子２０６）の損傷を防止することが可能となる。
【符号の説明】
【００７４】
１、１３  カード用コネクタ（コネクタ）
２、１４  ハウジング
２０１、１４０１  ベース部
２０２、１４０２  側壁部
２０３ａ、ｂ、１４０３  開口部
２０４、１４０４  接点端子
２０５、１４０５  前壁部
２０６、１４０６  接点端子
１４０８  ガイド部
３  排出機構
４  スライダ
４１  基部
４１１、１４０９  凹部
４１２、１４１０  軸部
４２  腕部
４２１、１４１３、１４１４  ガイド部
５、１９  付勢ばね
６  カム溝
６１  ハート型カム
６２  第１ガイド溝
６３  第２ガイド溝
６４  凹み溝
７  係合ピン
８、１５  レバー部材
８１、１５０１  孔
８２、１５０２  長孔
８３、１５０３  突出片
９  係合部材
９１１  凹部
９１２  軸部
１０  押圧部材
１００２  開口部
１００３  係合部
１００４  当接面
１００５  凹部
１６  スライド部材
１６０１  基部
１６０２  連結部
１６０５  凹部
１６０６  軸部
１７  押圧部材
１７０１  被案内部
１７０２  押圧部
１７０３  凹部
１１００  ＳＤカード
１１０１  傾斜面
１２００  高速カード
１２０１  凹部
１２０２、１２０３  傾斜面
【図１】
2010232097.tif 000003
【図２】
2010232097.tif 000004
【図３】
2010232097.tif 000005
【図４】
2010232097.tif 000006
【図５】
2010232097.tif 000007
【図６】
2010232097.tif 000008
【図７】
2010232097.tif 000009
【図８】
2010232097.tif 000010
【図９】
2010232097.tif 000011
【図１０】
2010232097.tif 000012
【図１１】
2010232097.tif 000013
【図１２】
2010232097.tif 000014
【図１３】
2010232097.tif 000015
【図１４】
2010232097.tif 000016
【図１５】
2010232097.tif 000017
【図１６】
2010232097.tif 000018
【図１７】
2010232097.tif 000019
【図１８】
2010232097.tif 000020
【図１９】
2010232097.tif 000021
【図２０】
2010232097.tif 000022
【図２１】
2010232097.tif 000023